Podtech/llm-jp-corpus-v4-ja_patent huggingface dataset:
(57)【要約】【課題】本発明はプレー中において随時ボールを清掃できるようにした携帯式のゴルフボールクリーナーを提供する。【解決手段】本体器具Ａの上部に開口部Ｂを、下部に排口部Ｃを設け、開口部Ｂから投入されたゴルフボールＧを保持する。保持部Ｆに清掃部材Ｅを設け、そして本体器具Ａの保持部Ｆの清掃部材ＥにゴルフボールＧを保持し、手動回転作業でゴルフボールＧを清掃する。手動回転作業でゴルフボールＧの土、芝生の小片、汚れ等が排口部Ｃから排出されうる。手動回転作業をスムーズにするため、本体器具Ａの縁部に取っ手Ｄを設けた本体器具Ａが構成されている。【選択図】図１
2005261969.tif 000002
【特許請求の範囲】
【請求項１】
本体器具にゴルフボールを保持可能なボール保持部を形成するとともに該ボール保持部に保持されたゴルフボールが清掃部材および該清掃部材に接解し、手動回転手段を設けたゴルフボールクリーナー。
【請求項２】
前記本体器具は半球状（ボウル）で無底の容器状の器具とする特徴のゴルフボールクリーナー。
【請求項３】
前記本体器具のボール保持部に保持されたゴルフボールが接解するよう清掃部材を固定した器具からなることを特徴とするゴルフボールクリーナー。
【請求項４】
前記本体器具に設けた固定清掃部材はスポンジ等である請求項１記載のゴルフボールクリーナー。
【請求項５】
前記本体器具にはボール保持部の上部に開口部、下部には排口部を設けた請求項２記載のゴルフボールクリーナー。
【発明の詳細な説明】
【技術分野】
【０００１】
本発明はプレー中においても随時ボールを清掃できるようにした携帯式のゴルフボールクリーナーに関するものである。
【背景技術】
【０００２】
従来はゴルフのプレー中にボールが汚れた場合はタオル等で拭くしかないため、手間がかかり、その割に汚れがとれないという問題があった。
【０００３】
また特公昭５１―１０７５号公報に記載されているようにプレー中にゴルフボールを随時洗浄できるよう電動カート上に載置し、電源を利用してボールを自動洗浄するようにした装置が提案されている。
【特許文献１】特公昭５１―１０７５号公報
【発明の開示】
【発明が解決しようとする課題】
【０００４】
ゴルファーあるいはキャディーが常時携帯してプレー中随時に使用できるコンパクトで性能の良いゴルフボールクリーナーがあれば従来のようにタオルでボールの汚れを落とすような面倒な作業が要らなくなるし、ゴルフの雰囲気がスマートになり、プレーそのものの趣向性も高まることが期待できる。
【０００５】
また、上記公報記載の装置の場合は、電動カートに載置するものであるので携帯性および簡便性に欠ける。
【０００６】
本発明はどこにでも携帯でき、簡便でプレー中随時に使用できるコンパクトなゴルフボールクリーナーを提供することを目的とする。
【課題を解決するための手段】
【０００７】
本発明のゴルフボールクリーナーはゴルフボールを保持可能なボール保持部を形成するとともに該ボール保持部に保持されたゴルフボールが清掃部材および該清掃部材に接解して手動手段での回転作業でゴルフボールを清掃する本体器具が特徴である。
【０００８】
ここで清掃部材はブラシであってもよいし、研磨剤入りスポンジ等の他の清掃部材でもよい。
【０００９】
本体器具のボール保持部に固定清掃部材を配置するとともに清掃部材を本体器具から脱着可能にしてもよい。
【発明の効果】
【００１０】
本発明は以上のように構成され、本体器具は例えばボール保持部の縁部に設けた取っ手を形成するだけのサイズがあればよく、全体としてもコンパクトかつ軽量で携帯性に優れたゴルフボールクリーナーとすることができる。そしてこのゴルフボールクリーナーは携帯にしてプレー中随時に使用することができ、それによりゴルフの雰囲気がよりスマートとなりプレーそのものの趣向性も高まる。
【発明を実施するための最良の形態】
【００１１】
本発明のゴルフボールクリーナーは本体器具のボール保持部の清掃部材に汚れたゴルフボールを保持し、手の平でゴルフボールを手動手段で回転作業を行う。
【００１２】
こうして回転作業をすると、保持部の清掃部材例えばブラシ、研磨剤入りスポンジ等の保持部の清掃部材内でゴルフボールを回転させ土、芝生の小片、汚れ等を排除しゴルフボールを清掃する。
【００１３】
本発明のゴルフボールクリーナーにおいて、本体器具は器具縁部の取っ手部またボール保持部を形成するだけのサイズがあればよく、全体としてもコンパクトかつ軽量でゴルファーあるいはキャディーが常時携帯可能なものとすることができる。
【実施例】
【００１４】
以下、本発明の実施例を図面に基づいて説明する。
【００１５】
実施例１、図は本発明の実施例のゴルフボールクリーナーの構造を模式的に示すもので、図１はゴルフボールクリーナーの断面図、図２は同ゴルフボールクリーナーの側面図である図において本体器具である。
【００１６】
この実施例のゴルフボールクリーナーにおいて本体器具Ａは上部開口部Ｂ下部排口部Ｃを設けた保持部Ｆを構成し、保持部Ｆと清掃部材Ｅはゴルフボールを包み込むよう半球状（ボウル）の無底の容器状のボール保持部Ｆを構成している。
【００１７】
上記本体器具Ａには、ボール保持部Ｆに半球状の無底の容器状の清掃部材Ｅはスポンジ等あるいはブラシ等を設け、清掃部材Ｅ全体にゴルフボールＧが接解できるよう構成されている。
【００１８】
本体器具Ａの縁部取っ手Ｄには、既に実用化されているグリーンホーク等の付属品を設けることも可能とする。
【００１９】
このゴルフボールクリーナーはゴルファーあるいはキャディーが携帯し、使用時に片方の手の平に器具Ａを持ちボール保持部Ｆ清掃部材ＥにゴルフボールＧを保持し、一方の手の平で保持部Ｆ清掃部材Ｅに保持されたゴルフボールＧを手動で回転作業を行い、ゴルフボールＧを清掃する。
【００２０】
実施例２、本体器具Ａは材質として強化プラスチック等、軽量金属等のように携帯に優れた材質が良い。
【００２１】
本体器具Ａ内の清掃部材Ｅは水洗に優れたスポンジ等、ブラシ等のような速乾性の部材が適する。
【００２２】
本体器具Ａは保持部Ｆ、清掃部材Ｅを構成し、半球状（ボウル）の無底の容器状の保持部Ｆ清掃部材ＥにゴルフボールＧの半分の2分の１前後を保持できるように半球状（ボウル）の無底の容器状の清掃部材Ｅとしてスポンジ等、ブラシ等を固定して配置されている。
【００２３】
なお上記実施例は一例であって、本発明はこれに限定されるものではなく、清掃部材の材質および構造、配置等様々な実施の態様が可能である。
【図面の簡単な説明】
【００２４】
【図１】本発明のゴルフボールクリーナーの断面図
【図２】本発明のゴルフボールクリーナーの側面図
【符号の説明】
【００２５】
Ａ  本体器具
Ｂ  開口部
Ｃ  排口部
Ｄ  縁部取っ手
Ｅ  清掃部材
Ｆ  保持部
Ｇ  ゴルフボール
【図１】
2005261969.tif 000003
【図２】
2005261969.tif 000004
(57)【要約】      （修正有）【課題】水が飛びにくく、洗剤の含みが多く力を入れてこする事ができ、汚れが良く落ちるたわしを提供する。【解決手段】たわし１の周囲や渦巻状にスポンジ（不織布）２を設ける。【選択図】図２
2005261909.tif 000002
【特許請求の範囲】
【請求項１】
普通のたわし（１）の毛の外周等にスポンジ（不織布）を設け、洗い物をした時に、洗剤の含有量を多くし、毛に付いた水や周囲の水の飛ぶ量を少なくして、より多くの力を入れる事の出来るスポンジ（不織布）付たわし。
【発明の詳細な説明】
【発明の詳細な説明】
［発明の属する技術分野］
【０００１】    この発明は、たわし（しゅろの毛や、ナイロン製毛等）の周囲や渦巻き状にスポンジ（不織布）を付けた、たわしに関するものである。  ［従来の技術］
【０００２】    従来、たわしの毛の周囲には細いビニールテープ等を巻いて、その上から針金で締めてあるか、又はそのまま周囲を針金で締めてあった。  ［考案が解決しようとする課題］
【０００３】    これは次のような欠点があった。  （イ）汚れを落そうとして、たわしに力を入れて洗うとたわしの毛がたわみ、こする方向が変わると毛のたわみ方向も変わるので、その時に毛に付いた水や廻りの水が飛ぶ。  （ロ）たわしで水が飛ばないようにして、洗うと汚れの落ちが悪い。  （ハ）たわしの毛は、普通しゅろやナイロンの毛だが、洗剤の吸込みが少なく流れてしまい、汚れの落ちが悪い。  ［課題を解決するための手段］
【０００４】  たわし（１）の周囲や渦巻き状にスポンジ（不織布）（２）を設ける。  ［発明の実施の形態］
【０００５】  たわし（１）の周囲や渦巻き状にスポンジ（不織布）（２）を付けると、たわしに力を入れて毛がたわんでも外側にスポンジ（不織布）があるので水などが飛ばない。  ［発明の効果］
【０００６】  本発明を使用することによって、洗剤をより多く含み、毛のたわみによる水の飛びが少ないので、力を入れてこする事が出来るので、汚れが良く落ちる。
【図面の簡単な説明】
【図１】周囲に針金を巻いた普通のたわしの斜視図。
【図２】本考案のスポンジ付たわしの斜視図
【図３】本考案の断面を書いた図面である。
【符号の説明】
（１）しゅろの毛などを束ねて作られたたわし  （２）スポンジ（不織布）  （３）針金  （４）ビニールテープ
【図１】
2005261909.tif 000003
【図２】
2005261909.tif 000004
【図３】
2005261909.tif 000005
(57)【要約】      （修正有）【課題】(イ)先端や角の丸まった包丁だけでは包丁の正しい使い方を間違え、添え手の沿え方を間違えると、手指を切ってしまう危険性がある。(ロ)滑りにくいまな板を使用しても、包丁の使い方次第で包丁に添えた手指は簡単に切れてしまう危険がある。そこで、子供が添え手の手指を切らずに包丁を安全に使用できるようにする為の器具を提供する。【解決手段】器具の下部１を鋭角に折り曲げ、両側面３は器具よりも幅を長めにし、親指、小指の飛び出しを防止する。上部２は甲に沿って湾曲させた包丁添え手を切る事を防止する器具である。【選択図】図１
2005261902.tif 000002
【特許請求の範囲】
【請求項１】
子供の包丁使用時の包丁に添える手に装着する器具で、包丁が手にあたらないように上部を手の甲に沿って湾曲させ、下部を鋭角に折り曲げる事で下からの指の飛び出しを防止し、両側面は器具よりも幅を長めに設ける事で器具の横からの指の飛び出しによる手指の切り傷を防止し安全に包丁を使用する事を特徴とする器具。
【発明の詳細な説明】
【技術分野】
【０００１】  本発明は、子供が包丁を使用する際の手指の切り傷防止に関する。
【背景技術】
【０００２】  従来、子供用の安全を考慮した調理器具では、先端と角の丸まった包丁や滑りにくいまな板などがあるが、保護者は子供に本当に安心して包丁を使用させる事はできない。
【発明の開示】
【発明が解決しようとする課題】
【０００３】    （イ）先端や角の丸まった包丁だけでは包丁の正しい使い方を間違え、添え手の添え          方を間違えると、手指を切ってしまう危険性がある。
（ロ）滑りにくいまな板を使用しても、包丁の使い方次第で包丁に添えた手指は簡単          に切れてしまう危険がある。
【課題を解決するための手段】
【０００４】  器具の下部を鋭角に折り曲げ、両側面は器具よりも幅を長めに設ける。上部は甲に沿って湾曲させた事を特徴とする器具である。
【発明の効果】
【０００５】  器具の下部の鋭角な折れ曲がり部分で食材をおさえ下からの指の飛び出しを防止、包丁を高い位置から下ろしても上部の湾曲部分により包丁が手にあたる事を防止する。器具の両側面からの指の飛び出しを防止し、手指を切る事なく、子供が安全に包丁を使用することができる。
【発明を実施するための最良の形態】
【０００６】  以下、本発明の実施形態について説明する。
（イ）器具の下部（１）を鋭角に折り曲げる。
（ロ）器具の上部（２）は手の甲に沿うように湾曲させる。
（ハ）器具の両側面下部（３）は器具よりも長めに設ける。
（ニ）両側から折り曲げたハンドル（４）を設ける。
（ホ）器具はステンレス製で包丁の刃が当たっても削られる事がない。
本発明は以上のような構成で、これを使用するときは、ハンドル（４）に指を入れ、添え手の形を作る。
下部（１）の鋭角な部分が食材をおさえ、下部（１）からの指の飛び出しがなく上部湾曲部（２）は包丁から手の甲を保護する。
側面（３）からは親指、小指の飛び出しを防止する事ができる。
【図面の簡単な説明】
【０００７】
【図１】本発明の斜視図
【図２】本発明の展開図
【符号の説明】
【０００８】      １  下部
２  上部
３  側面
４  ハンドル
【図１】
2005261902.tif 000003
【図２】
2005261902.tif 000004
(57)【要約】      （修正有）【課題】足踏み運動を兼ねてバネを圧し、そのバネ圧を衝撃作用に利用して足裏指圧をする指圧器を提供する。【解決手段】左右を分かつ本体１に、バネを装着してツメを具えたロット２、３、４、５が適数配設され、ロット２、３、４、５と、之に連通する受動板６とにより、ロット２、３、４、５の踏み込みに連動させるバネの掛け外しが、左右交互に繰り返えされることにより、ロット２、３、４、５が足段階の裏面を突き上げる構成とする。【選択図】図１
2005261901.tif 000002
【特許請求の範囲】
【請求項１】
バネを装着したツメ付きのロットが、左右を分かつ本体に適数配設され、該ロットのツメに応動する受動板を介して、バネの縮圧と瞬発作動がロットの踏み込みに連動し、左右交互に繰り返すように設けたことを特徴とする、衝撃作動を利用した足裏指圧器。
【発明の詳細な説明】
【技術分野】
【０００１】  本発明は、足踏み運動をバネ圧に変換し、その弾性を刺激体に利用した足裏指圧器に関するものである。
【背景技術】
【０００２】  従来、足裏の指圧やマッサージに供する足踏みタイプの用品には、履き物に応用した刺激体の中敷や中底の類から竹カップ、マット、足漕ぎローラー、同、ボール等と多々あったが、刺激体への自圧手段が使用のすべてであるため飽きやすく、既にその一部は需要が消滅、乃至は停滞している現状である。
【発明の開示】
【発明が解決しようとする課題】
【０００３】  之により、本発明は足踏みでバネを圧し、その弾性で足裏に刺激を加える手段により、軽快な使用感と共に独自の指圧効果を図る。
【課題を解決するための手段】
【０００４】  両足の踏み台となる本体に、複数本のロットが夫々バネを受承し、作動自在に配設されるが、ロットはその胴部にラチェット状のツメを具えて受動板に係合し、該ツメの掛け外しを足踏み運動で行なう半自動とする。
【発明の効果】
【０００５】  軽い足踏みで、上げ足裏を突く衝撃の繰り返しと、その衝撃で弾みがつく軽快な足踏み運動との相乗作用により、脚部の疲労回復に顕著な効果を期待することができる。
【発明を実施するための最良の形態】
【０００６】  ロット（２、３、４、５）は、胴部にラチェット状のツメを具え、本体（１）は之をバネ付きで各々作動自在に受承すると共に、受動板（６）がツメに係合し、ロットが相互に連通する。
使用は、図面（図１、図２）のように一側を下死点にセットし、椅子掛けで、足踏み運動に準じロット（２、３）を踏み込むと、受動板（６）を介して他側のロット（４、５）に連通するため、之に置いた上げ足段階の裏面（要・足下に若干の空間）を突き上げ、作動関係が左右交代する。
この交代が、連続的に繰り返される過程で効果を得るが、足踏み運動では相乗効果を含め、衝撃作用で上げ足が軽くなる構成である。
【図面の簡単な説明】
【０００７】
【図１】  本発明中、第１実施例の内部構成を示す概略断面図。
【図２】  本発明中、第２実施例の内部構成を示す概略断面図。
【符号の説明】
【０００８】  １  本体ブロック
２．３．４．５  ロット
６  受動板
【図１】
2005261901.tif 000003
【図２】
2005261901.tif 000004
(57)【要約】【課題】  日常生活に支障がないように着用でき、体に強制的な負担がかからないように考案した、Ｏ脚矯正トレーニング用具を提供する。【解決手段】  左右の脚を、個別に巻き回して止める弾力性のある一対のバンドに、磁石を面状に配する部分と、着用の目安となる目印を設け、双方の磁石のくっつく力を利用したことを特徴とするＯ脚矯正トレーニング用具。【選択図】  図１
2005261907.tif 000002
【特許請求の範囲】
【請求項１】
左右の脚を、個別に巻き回して止める弾力性のある一対のバンドに、磁石を面状に配する部分と、着用の目安となる目印を設け、双方の磁石のくっつく力を利用したことを特徴とするＯ脚矯正トレーニング用具。
【請求項２】
バンドを筒状のサポーターにした請求項１のＯ脚矯正トレーニング用具。
【請求項３】
パンツに磁石を面状に配する部分を設け、双方の磁石のくっつく力を利用したことを特徴とするＯ脚矯正トレーニング用具。
【請求項４】
磁石は４個で田の字形に構成し、その磁極の配列を、Ｎ極面とＳ極面が互いに上下左右となり合うようにしたことを特徴とする請求項１から３までのＯ脚矯正トレーニング用具。
【発明の詳細な説明】
【技術分野】
【０００１】  本発明は、Ｏ脚に悩む人々のために考案された、日常生活に支障がないように着用でき、体に負担をかけず、磁石の力を利用したＯ脚矯正トレーニング用具に関するものである。
【背景技術】
【０００２】  従来、Ｏ脚矯正用具には、両脚をベルトで巻き回して、これを締め付けることにより、強制的に矯正する発明が知られている（特許文献１）（特許文献２）。
【特許文献１】特開２０００−３１６８９０号広報
【特許文献２】特開２０００−２４５７５９号広報
【発明の開示】
【発明が解決しようとする課題】
【０００３】  そのため次のような問題点があった。
（イ）脚に外的圧力を強制的に加えるため、負担がかかる。
（ロ）矯正用具を着用したまま日常生活することが出来ない。
（ハ）矯正するには、時間的な制約をうける。
本発明は、以上の問題点を解決するためになされたものである。
【課題を解決するための手段】
【０００４】  左右の脚を、個別に巻き回して止める弾力性のある一対のバンドに、磁石を面状に配する部分と、着用の目安となる目印を設ける。双方の磁石のくっつく力を利用したことを特徴とするＯ脚矯正トレーニング用具。
【発明の効果】
【０００５】  脚に外的圧力を強制的に加えないため、体に負担がかからない。左右が個別であるため着用したままで日常生活がおくれ、いつでもどこでもＯ脚矯正トレーニングすることができる。両脚を揃え、双方の磁石のくっつく力で、膝、足首をくっつけて立つ正しい立ち姿勢をトレーニングすることにより、脚の内側の筋肉が鍛えられ、Ｏ脚が矯正される。
【発明を実施するための最良の形態】
【０００６】  以下，本発明の実施の形態を説明する。
（イ）弾力性のあるバンド（１）の両端に接着部（２）を設ける。
（ロ）弾力性のあるバンド（１）に着用時の目安となる目印（３）と磁石（４）を設け        る。
（ハ）磁石（４）は、双方がくっつくように配する。
（ニ）このバンドは、２個一組とする。
本発明は、以上の構成よりなっている。
本発明を使用するときは、一対で、左右各々の脚に目印（３）を大腿部（７）の中心に合わせて磁石（４）が大腿部（７）の内側にくるように巻き回して、接着部（２）で固定する。両脚をそろえ、膝（５）と足首（６）をくっつけたとき、双方の磁石のくっつく力を利用して、Ｏ脚矯正トレーニングをする用具である。
【実施例１】
【０００７】  図５の示すように、弾力性のあるバンド（１）の代わりに筒状のサポーター（８）とし、目印（３）と磁石（４）を付ける。
筒状のサポーターに代えたことで、より簡単に着用ができるようになる。
【実施例２】
【０００８】  図６の示すように、パンツ（９）に、磁石（４）を面状に配する部分を設ける。
パンツにしたことで、左右の磁石の位置がずれにくくなる。
【実施例３】
【０００９】  図７の示すように、磁石（４）は、４個の磁石で田の字形に構成し、その磁極の配列を、Ｎ極面（１０）とＳ極面（１１）が互いに上下左右となり合うようにする。
図７の配列にした磁石を左右のバンドに配することで、図８の示すように左右の脚を揃えたとき、双方の磁石の磁極が互いに引き合うように作用し、前後にずれることなく正確にくっつき、又、双方を前後に磁石１個分ずらすと、同じ磁極同士が向かい合い反発するので、簡単にはなれるようになる。
【図面の簡単な説明】
【００１０】
【図１】本発明の使用状態を示す正面図
【図２】本発明の使用状態を示す内外側面図
【図３】本発明の表側展開図
【図４】本発明の外観斜視図
【図５】本発明の他の実施例１を示す外観斜視図
【図６】本発明の他の実施例２を使用状態で示す正面図
【図７】本発明の他の実施例３を示す磁極配列図
【図８】本発明の他の実施例３を使用し、膝を外転したときの使用状態を示す正面図
【符号の説明】
【００１１】      １    バンド
２    接着部
３    目印
４    磁石
５    膝
６    足首
７    大腿部
８    筒状サポーター
９    パンツ
１０  Ｎ極面
１１  Ｓ極面
【図１】
2005261907.tif 000003
【図２】
2005261907.tif 000004
【図３】
2005261907.tif 000005
【図４】
2005261907.tif 000006
【図５】
2005261907.tif 000007
【図６】
2005261907.tif 000008
【図７】
2005261907.tif 000009
【図８】
2005261907.tif 000010
(57)【要約】【課題】    洗濯ネットに洗濯ネット兼ポケットを取り付けることで、洗濯物を取り出し易くした、ポケット付き洗濯ネットを提供する。【解決手段】洗濯ネットに洗濯ネット兼ポケットを取り付けることにより、洗濯物を小物類と分けて入れ洗濯物を取り出し易くした洗濯ネットである。【選択図】  図１
2005261905.tif 000002
【特許請求の範囲】
【請求項１】
洗濯ネットに、糸くずがつかない様に細かいメッシュの小さ目の洗濯ネット兼ポケットを、取り付けてなるポケット付き洗濯ネット。
【発明の詳細な説明】
【技術の分野】
【０００１】この発明は、洗濯ネットに洗濯ネット兼ポケットを取り付けて小物類を分けて洗う、ポケット付き洗濯ネットである。
【背景技術】
【０００２】従来の洗濯ネットは、ポケットが付いてなく、洗濯ネットにハンカチ、靴下等小物類も一緒に入れていたので、取り出す時にハンカチが絡み合ったり靴下を片方下に落としたりして、よく捜していた。
【発明開示】
【発明が解決しょうとする課題】
【０００３】洗濯をするのに、洗濯ネットに小物類からすべて一緒に入れていたので取り出す時に小物類が絡み合ったり、落したりしていた。本発明は、これらの欠点を解決するためになされたものである。
【課題を解決するための手段】
【０００４】開口部（３）を備えた洗濯ネット（１）に糸くずがつかない様に、細かいメッシュの開口部（３）を備えた小さ目の洗濯ネット兼ポケット（２）を設ける。以上より洗濯物を取り出しやすくした、ポケット付き洗濯ネット。
【発明の効果】
【０００５】本発明は洗濯ネットにポケットを取り付けることにより、洗濯物を小物類と分けて入れ、洗濯物を取り易くしたものである。
【発明を実施するための最良の形態】
【０００６】この発明の実施の形態を図１について説明する。
（イ）開口部（３）を備えた洗濯ネット（１）に糸くずがつかない様に細かいメッシュの開口部（３）を備えた、小さ目の洗濯ネット兼ポケット（２）を設ける。
本発明は以上よりなり、これを使用する時には洗濯物を小物類と分け、小物類はポケットに入れて洗濯物を取り易くする。
【実施例１】
【０００７】図１に示すように、洗濯ネット（１）に洗濯ネット兼ポケット（２）を設けることにより、洗濯物を小物類と分け、スムーズに洗濯物を取り出し易くした。
【図面の簡単な説明】
【０００８】
【図１】本発明の正面図
【図２】本発明の切り離した時の正面図
【図３】本発明の切り離した時の正面図
【符号の説明】
【０００９】      １  洗濯ネット
２  洗濯ネット兼ポケット
３  開口部
【図１】
2005261905.tif 000003
【図２】
2005261905.tif 000004
【図３】
2005261905.tif 000005
(57)【要約】      （修正有）【課題】従来は、別々で不便だったものを一つにして便利な健康指圧棒と妻楊枝健康刺激器具を提供する。【解決手段】健康指圧棒に妻楊枝入れを設けて妻楊枝健康刺激器具とする。【選択図】図２
2005261906.tif 000002
【特許請求の範囲】
【請求項１】
槐樹材に健康指圧棒に妻楊枝健康刺激を入れた棒
【発明の詳細な説明】
【技術分野】
【０００１】  この発明は槐樹材に健康指圧棒と妻楊枝健康刺激を入れた棒に関するものである。
【背景技術】
【０００２】  従来健康指圧棒と妻楊枝健康刺激は別々になっていた。
【発明の開示】
【発明が解決しょうとする課題】
【０００３】  これはつぎのような問題点があった。
妻楊枝刺激は輪ゴムで束にして使っていたが、不安定で使い悪く、先が尖がっているため傷をすることがあり、妻楊枝の先を少し太めにして、また平らにし使いやすくくした。
本発明は、以上のような欠点をなくすためになされたものである。
【課題を解決するための手段】
【０００４】  槐樹材に健康指圧棒と妻楊枝健康刺激を入れた棒。
以上の構成よりなる健康指圧棒と妻楊枝健康刺激を入れた棒である。
【発明の効果】
【０００５】  健康指圧棒と妻楊枝健康刺激が一体になっているので便利。
槐樹材の木目が良く、黒褐色で綺麗である。
【発明を実施するための最良の形態】
【０００６】  以下、本発明の実施例について説明する。
【図面の簡単な説明】
【０００７】
【図１】本発明における正面図である。
【図２】妻楊枝入れから蓋を放した図
【図３】妻楊枝上からの図
【符号の説明】
【０００８】１  指圧部分小
２  指圧部分大
３  妻楊枝入れ物
４  妻楊枝
５  蓋
６  妻楊枝正面
【図１】
2005261906.tif 000003
【図２】
2005261906.tif 000004
【図３】
2005261906.tif 000005
(57)【要約】【課題】従来の装置のよる土耕栽培では、切花生産する上で木や樹や花が大きくなりすぎて商品価値を落としてしまう、花もちも悪い、作業姿勢が悪く腰痛になり易いという問題点があった。【解決手段】脚で支持されたベンチを設け、ベンチの床部に三層講造で構成したマットを敷いて育苗床を構成し、この育苗床に切花用のポリ鉢を並べて配置し、水または液肥用給水パイプを配管し、多数の潅水小孔を有する可撓性潅水チューブを上記育苗床に配管し、可撓性潅水チューブに上記給水パイプに接続し、三層講造のマットに排水口を設け、この排水口に排水パイプを接続し、三層講造のマットを、根を通さないで水分のみ通す機能を有する不織布を上位層にし、毛細管現象で水の一部を排水する機能を持たせた給水マットを中間層とし、一時的に貯水する機能を持たせた貯水シートを下位層に配置した三層講造とした。【選択図】図１
2005261399.tif 000002
【特許請求の範囲】
【請求項１】
立ち仕事ができる程度の高さを有する複数本の脚２で支持されたベンチ、
このベンチの床部にマットを敷いて構成され切花用の種が蒔かれたポリ鉢（プラグトレー）などを並べて配置した育苗床、
この育苗床に水または液肥を適宜供給する給水パイプ
この給水パイプに接続されると共に上記育苗床の内周面に配管され、給水と液肥を与えるための多数の潅水小孔を有する可撓性潅水チューブ、
上記マットに設けた排水口に接続した排水パイプを備え、
上記マットを、根を通さないで水分のみ通す機能を有する不織布を上位層にし、保水性を持たせ外周縁部を上記育苗床の外側に垂れ下げ、毛細管現象で水の一部を排水する機能を持たせた給水マットを中間層とし、給水または液肥を一時的に貯水する機能を持たせた貯水シートを下位層に配置した三層講造としたことを特徴とする切花のベンチ栽培装置。
【発明の詳細な説明】
【技術分野】
【０００１】  この発明は、切花のベンチ栽培装置に関するものである。
【背景技術】
【０００２】  地面にから離間するように育成箱内に設けられた透水性床体を覆うように透水性土留めシートを敷設し、該透水性土留めシートの上に床土層を形成し、該床土層にひまわりの種子を播種し、又は苗を移植して育成するものは出願されている。【０００３】
【特許文献１】実開平７−４３２８４号公報
【特許文献１】特公平８−２４４８８号公報
【特許文献１】特開２００１−１５７５１８号公報
【発明の開示】
【発明が解決しようとする課題】
【０００４】    従来の装置のよる土耕栽培では、切花生産する上で木や樹や花が大きくなりすぎて商品価値を落としてしまう、花もちも悪い、作業姿勢が悪く腰痛になり易いという問題点があった。
【課題を解決するための手段】
【０００５】  この発明の切花ベンチ栽培装置は、立ち仕事ができる程度の高さを有する複数本の脚２で支持されたベンチを設け、
このベンチの床部にマットを敷いて構成された育苗床に、切花用の種が蒔かれたポリ鉢（プラグトレー）などを並べて配置し、
この育苗床に水または液肥を適宜供給する給水パイプを配管し、
この給水パイプに接続され、給水と液肥を与えるための多数の潅水小孔を有する可撓性潅水チューブを上記育苗床の内周面に配管し、
上記マットに設けた排水口に排水パイプを接続し、
上記マットを、根を通さないで水分のみ通す機能を有する不織布を上位層にし、保水性を持たせ外周縁部を上記育苗床の外側に垂れ下げ、毛細管現象で水の一部を排水する機能を持たせた給水マットを中間層とし、給水または液肥を一時的に貯水する機能を持たせた貯水シートを下位層に配置した三層講造としたことを特徴とするものである。
【発明の効果】
【０００６】  この発明によれば、栽培地を地表より上げたので姿勢がよくなり、作業姿勢が立っていることにより腰痛の解消できる。
プラグトレーやポリポットを用いて土の量を制限し、栽培地を地より離すことにより水分の制限もできる。トレーやポットの下に吸水マット、不織布を敷いて水分の不足を補う。
切花の姿が従来のものと比較して非常に小ぶりで花のアレンジに使いやすく、長持ちのする切花が得られる。花が小ぶりで茎が小径でありながら固くしっかりした高品質の切花が栽培できる。切花を手軽に栽培できる。給水が確実に過不足なく与えられ、また水が常時貯まることがないので、根腐れを防止できるなどの効果がある。
【発明を実施するための最良の形態】
【０００７】  以下、図面に基づいて、この発明の実施の形態１を説明する。
なお、各図間において、同一符号は同一あるいは相当部分を示す。
この発明に実施の形態１に係わる切花のベンチ栽培装置は、次のように構成したものである。
（１）  立ち仕事ができる程度の高さを有する複数本の脚２で支持されたベンチ１を設け、
（２）  このベンチ１の床部に三層講造（不織布４・給水マット５・貯水シート６）で構成したマット３を敷いて育苗床１５を構成し、この育苗床に切花用の種が蒔かれたポリ鉢８（プラグトレー）を並べて配置し、
（３）  水または液肥を適宜供給する給水パイプ９を配管し、
（４）  給水と液肥を与えるための多数の潅水小孔１３ａを有するゴム、プラスチック、ポリエチレンなどの可撓性潅水チューブ１３を，上記育苗床１５の内周面に配管し、この可撓性潅水チューブの一端に上記給水パイプ９に接続し、
（５）  三層講造のマット３に排水口１１ａを設け、この排水口に排水パイプ１１を接続し、
（６）  根を通さないで水分のみ通す機能を有する不織布４を上位層にし、
（７）  保水性を持たせ外周縁部５ａを育苗床１５の外側に垂れ下げ、毛細管現象で水の一部を排水する機能を持たせた給水マット５を中間層とし、
（８）  給水または液肥を一時的に貯水する機能を持たせた貯水シート６を下位層に配置する。
なお、給水パイプ９には給水バルブ１０が、また排水パイプ１１には排水バルブ１２がそれぞれ設けられている。また、育苗床１５の上方には花が倒れるのを防ぐフラワーネット１４が張られている。
【図面の簡単な説明】
【０００８】
【図１】  この発明の実施の形態１における切花のベンチ栽培装置の全体を示す斜視図である。
【図２】  同じく切花のベンチ栽培装置の全体を示す側断面図である。
【図３】  図２のＡ部分の拡大断面図である。
【符号の説明】
【０００９】      １  ベンチ                              ２  ベンチの脚
３  マット                              ４  不織布
５  吸水マット                        ５ａ  保水性を持たせ外周縁部
６  貯水シート                          ７  育苗床
８  ポリ鉢（プラグトレー）              ９  給水パイプ
１０  給水バルブ                        １１  排水パイプ
１１ａ  排水口                            １２  排水バルブ
１３  潅水チューブ                    １３ａ  多数の潅水小孔
１４  フラワーネット                    １５  育苗床
【図１】
2005261399.tif 000003
【図２】
2005261399.tif 000004
【図３】
2005261399.tif 000005
(57)【要約】［目的］スギ科、ヒノキ科、の花粉を含む花球を人工皮膜形成物質で覆うことにより花粉の飛散を抑制する方法［構成］ポリビニールアルコール、通称名ＰＶＡの１〜１０％を含むゾルの単独または必要に応じてこれに保湿財、膜形成物質、活性剤、などを加えた水溶液を散布することにより花粉の飛散を防止する方法。【特許請求の範囲】
【請求項１】
ポリビニールアルコール、通称名ＰＶＡの０．５〜１０％を含むゾル状水溶液を花粉が飛散前の花球に散布することにより花粉の飛散を防止する方法。
【発明の詳細な説明】
【発明の詳細な説明】
【０００１】［発明の属する利用分野］
本発明はスギおよびヒノキ科の花粉の飛散を防止する方法に関する
【０００２】［従来の技術］
将来は花粉発生量の少ない品種を作る研究がなされているが、スギとヒノキだけを植林するモノカルチャ化が進むので花粉の量は将来も減少しない。本発明の出願者は出願番号２００３−１７５５５１は花粉の発生抑制剤に関する技術であるが目的を達成するためには濃度を高くしなければならず、飛散季節の降雨量や気温高などで繰り返し散布する必要が有った。
［発明が解決しようとする課題］
（１）一度散布することにより花粉の飛散する一シーズンの間、花球を開かせず閉じたままで花粉の飛散を完全に阻止すること。
（２）人畜及びすべての生物に無害であること。生分解性で飛散のシーズンが終わる５月頃までで、分解して消滅すること。
【０００４】［課題を解決するための手段］
特許出願番号２００３−１７５５５１では気温高く、湿度の低い日には飛散を完全には抑制できず飛散するものもあった。またスギの品種による差異もあった。飛散の１００％防止を目標に、展着剤、保湿剤、膜形成剤、などを配合して実験した結果。ＰＶＡのゾル状水溶液を配合して散布すると２月〜５月の花粉飛散を完全に防止できることを発見した。
【０００５】［花粉飛散率計測のための条件設定］
花粉の飛散防止を行った結果、自然の状態即ちコントロールに対して飛散数が何パーセントに抑制されたかを計数するため次の手法を用いた。透明フイルムで直径１５ｃｍ、高さ５０ｃｍの円筒をつくり円筒の下に目盛り付きスライドグラスを置き筒の上から花球１０個のついた枝に振動を与えた。その後スライドグラスに落下した花粉を顕微鏡で検鏡して、花粉数の比較から飛散率を計測した。定性的には太陽光の下では黄色の粉として観察できる。
【０００６】［展着剤と保湿剤の効果の有無］
先ず展着剤として登録されている物質についてＤソルビット、ポリオキシエチレンアルキルフェニールエーテル、ポリオキシエチレン脂肪酸エステル、リグニンスルホン酸ナトリウム、ポリオキシエチレンジノニールフェニールエーテルのそれぞれ５％の濃厚水溶液を花球に噴霧し自然乾燥後に花粉の飛散の有無を計測したが効果は見られなかった。つぎに保湿剤として知られているグリセリン、ポリエチレングリコール分子量１５００、ポリプロピレングリコール、ソルビタンオレイン酸エステル、脂肪酸モノグリセロール、デカグリセリンラウリン酸エステル、の５％水溶液を花球に噴霧し自然乾燥後花粉の飛散を計測したが効果は見られなかった。花粉の飛び出す力はこれらの物質では抑制できない事が分かった。
【０００７】［花球を皮膜で包み込む方法］
薬剤だけでは花粉の放出を完全には停止困難なので物理的方法で１シーズン中停止させる方法を実験した。膜をつくる物質として、酢酸ビニール、ＰＶＡ、アクリルエマルジョン、キチンキトサン、アルギン酸、セルローズ、アセチルセルロース、などが考えられるが水溶性のゾルとして使用でき必要に応じて他の多くの物質と混合可能で、しかも広い範囲の重合度の原料が使用でき、繊維に適さないような不揃いな重合度の原料でも使用できるので経済的でもある。
【０００８】［発明の効果］
特許出願２００３−１７５５５１と本発明を比較した実施例を第１表に示した。
2005261400.tif 000002
実施例１〜５はＰＶＡゾルを飛散直前の花球に散布２日後に２０℃で飛散数を測定しコントロールと比較したものである。ＰＶＡゾル濃度が４％で飛散数はゼロとなり抑止率１００％に達した。ＰＶＡゾル濃度３％で３−オキソブタン酸エチル５％を併用した場合でも抑止率は１００％に達した。
３−オキソブタン酸エチル単独使用の場合は花球の発達段階から使用せねば効果を発揮できないのに対し、ＰＶＡは飛散直前でも効果があり、１シーズン中、効果が持続できた。
(57)【要約】【課題】  雲丹の卵巣の味噌加工における、新たな風味の創出を図る。【解決手段】  水洗い、水切りの工程を有し備えた、雲丹の卵巣（１）を、上下より浸透性シート（３）、（３ａ）、味噌（２）、（２ａ）と、共に挟持に備え、味噌（２）、（２ａ）から滲み出る風味液汁を浸透性シート（３）、（３ａ）を介し移浸させ雲丹の卵巣（１）を漬け込む。又、雲丹の卵巣（１）の漬け物容器（５）は、冷蔵庫に約５℃前後において、数時間及び数日間、冷蔵、保存にて完成する。【選択図】  図１
2005261412.tif 000002
【特許請求の範囲】
【請求項１】
基材を発酵調味料とする味噌の風味液汁を、浸透性シートを介し、雲丹の卵巣に、移浸させ漬け込むことを特徴とする、雲丹の卵巣の味噌漬け。
【請求項２】
（イ）漬け物容器（５）の内底面の全体より、除菌性フィルム（４）を、四方の内側面にそい上部辺の外部まで敷き備える
（ロ）除菌性フィルム（４）の底面部の全体に、味噌（２）を適当な厚さに敷き伸ばし備える。
（ハ）味噌（２）の上面体に、浸透性シート（３）を、四方の内側面まで敷き備える。
（ニ）浸透性シート（３）の上面体に、水洗い、水切りの工程を有し備えた、雲丹の卵巣（１）を敷き並べ備える。
（ホ）雲丹の卵巣（１）の上面体に、浸透性シート（３ａ）を、四方の内側面まで敷き備える。
（ヘ）浸透性シート（３ａ）の上面体に、味噌（２ａ）を適当な厚さに敷き伸ばし備える。
（ト）除菌性フィルム（４）の端辺を、四方より味噌（２）の上面体の中央に折りたたみ備える
（チ）雲丹の卵巣（１）を、上下より浸透性シート（３）、（３ａ）と、味噌（２）、（２ａ）と共において挟持し、味噌（２）、（２ａ）の風味液汁を、浸透性シート（３）、（３ａ）を介し移浸させ、雲丹の卵巣（１）を漬け込むことを特徴とする、雲丹の卵巣の味噌漬けの製造方法。
【発明の詳細な説明】
【技術分野】
【０００１】  本発明は、雲丹の卵巣の味噌漬けとその製造方法に関する。
【背景技術】
【０００２】  雲丹の卵巣を風味加工する、主流となる基材の調味料は、塩、しょう油の加工食品が最も多く、一般に食されている。【０００３】  また、一般的な製造方法として、雲丹殻から取り出した卵巣を水洗い、水切りを有し、主流とする加工調味料、塩、しょう油に、他の副調味料、砂糖、酒、みりん等を混合し、溶解した液体汁を備え、直接に数時間及び数日間漬け込む、のち取り出し液体汁切りを有し製品とするものである。
【発明の開示】
【発明が解決しようとする課題】
【０００４】  解決しようとする問題点は、主流の加工調味料とする、塩、しょう油の風味から離れた、新たな調味料における、新たな風味を創出することにある。【０００５】  また、加工調味料となる味噌の風味液汁を、浸透性シートを介し卵巣に移浸する製造方法を提供することにある。
【課題を解決するための手段】
【０００６】  本発明とする、雲丹の卵巣の加工食品は、風味の元となる調味料に味噌を基材とし、風味液汁を浸透性シートを介し卵巣に移浸させ作り上げる加工食品である。【０００７】  また、本発明は、雲丹の卵巣を、上下より浸透性シートと味噌と、共において挟持し、味噌の風味液汁を、浸透性シートを介し卵巣に移浸させ漬け込むことを特徴とする。
【発明の効果】
【０００８】  本発明は、味噌の風味を雲丹の卵巣に漬け込むことにおいて、従来から主流とする塩、しょう油の風味の加工食品と異なり、新たな風味を得た食品を創出する。また、加工過程において、雲丹の卵巣を味噌自体に直接触れることなく、浸透性シートを介し味噌の風味を移浸することにおいて、卵巣の身を崩すこともなく、また、卵巣体の色合いも大きく変色することのない加工食品を提供する。
【発明を実施するための最良の形態】
【０００９】  本発明の、雲丹の卵巣の味噌漬けを実施例の図面に基づき説明する。
【実施例】
【００１０】  基材を発酵調味料とする味噌（２）、（２ａ）の風味液汁を、浸透性シート（３）、（３ａ）を介し、雲丹の卵巣（１）に、移浸により漬け込むことを特徴とする。【００１１】（イ）漬け物容器（５）の内面低部の全体より、除菌性フィルム（４）を四方の内側面に沿い、上部辺を有し互いに、対称辺の長さに切り敷き備える。
（ロ）除菌性フィルム（４）の底面部の全体に、適量の砂糖、酒、みりん等を加え煉り合せた、塩分約８〜１２％内の味噌（２）を適当な厚さに敷き伸ばし備える。
（ハ）味噌（２）の上面体に、限りなく無臭の素材を有す、和紙、不織布を用いた浸透性シート（３）を、四方の内側面の端まで敷き備える。
（ニ）浸透性シート（３）の上面体に、水洗い、水切りの工程を有し備えた、雲丹の卵巣（１）を敷き並べる。
（ホ）雲丹の卵巣（１）の上面体に、浸透性シート（３ａ）を四方の内側面の端まで敷き備える。
（ヘ）浸透性シート（３ａ）の上面体に、味噌（２ａ）を適当な厚さに敷き伸ばし備える。
（ト）除菌性フィルム（４）の上部辺の端を四方より互いに、味噌（２）の上面体の対称に向け、空気を排除しながら折りたたみ備える。
（チ）雲丹の卵巣（１）を、上下より浸透性シート（３）、（３ａ）と味噌（２）、（２ａ）と共において挟持し、味噌（２）、（２ａ）から滲み出る風味液汁を浸透性シート（３）、（３ａ）を介し、数時間及び数日間の移浸において漬け込む。
（リ）雲丹の卵巣の漬け物容器（５）を、冷蔵庫約５℃前後において保冷、保存をする。以上の加工工程を特徴とする、雲丹の卵巣の味噌漬け製造方法
【産業上の利用可能性】
【００１２】  味噌の風味を雲丹の卵巣に漬け込むことにおいて、主流とする塩、しょう油の風味の加工食品と異なり、新たな風味を得た食品の創出となる。
【図面の簡単な説明】
【００１３】
【図１】  雲丹の卵巣の味噌漬け加工工程を示す側断面図
【図２】  雲丹の卵巣の味噌漬け加工工程を示す一部切断斜視図
【符号の説明】
【００１４】  １  雲丹の卵巣
２  味噌              ２ａ  味噌
３  浸透性シート      ３ａ  浸透性シート
４  除菌性フィルム
５  漬け物容器
【図１】
2005261412.tif 000003
【図２】
2005261412.tif 000004
(57)【要約】【課題】  本発明は、容易に組み立てられ、一般家庭における庭・畑作等の農地への、犬・猫侵害防止を目的としたフェンスを提供する。【解決手段】  本発明のマルチフェンスは、フェンスの両端部に中空軸径の大きさの違う、支柱を一体化して設け、支柱（Ａ）に支柱（Ｂ）を差込み連結して組み立て、さらに支柱（Ａ）と一体となった杭打ち用支柱の中空軸に、根元杭を打ち込み固定することを特徴とするマルチフェンス。【選択図】    図１
2005261411.tif 000002
【特許請求の範囲】
【請求項１】
フェンスの両端部に、中空軸径の大きさの違う複数の支柱を一体化して設け、支柱（Ａ）に支柱（Ｂ）を差込み連結して組み立て、さらに支柱（Ａ）と一体となった杭打ち用支柱の中空軸に、根元杭を打ち込み固定することを特徴とするマルチフェンス。
【発明の詳細な説明】
【技術分野】
【０００１】  本発明は、一般家庭における庭・畑作等の農地に、犬・猫侵害防止を目的とした、園芸用フェンスに関するものである。
【背景技術】
【０００２】  従来、庭や花壇等の間仕切りにフェンスの代用品として、簡単な木製・樹脂系等のものはあった。しかし従来品が簡易な構造のため、犬・猫等による侵害防止ができなく、かつ汎用性に欠けていた。
【発明の開示】
【発明が解決しようとする課題】
【０００３】  そのために、次のような問題点があった。
（イ）犬・猫侵害等の防止用にフェンスを高くすると、土圧・風圧等に対して支えきれず、フェンスの倒壊等を防ぐのが大変難しかった。
（ロ）従って、フェンスの建て直し・土砂等の後始末の手間が大変であった。さらに専門業者に工事を依頼すると、高価な施工費が必要となる。
本発明は、以上の問題点を解決しようとするものである。
【課題を解決するための手段】
【０００４】  フェンスの両端部に中空軸径の大きさの違う、複数の支柱を一体化して設け、支柱（Ａ）に支柱（Ｂ）を差込み連結して組み立てる。さらに支柱（Ａ）と一体となった杭打ち用支柱の中空軸に、根元杭を打ち込み固定する。以上を特徴とするマルチフェンスである。
【発明の効果】
【０００５】  軽量でユニット式なので、高齢者・女性でも容易に組み立てられる。また犬・猫侵害防止等と間仕切り、及び土留め等を兼用できる。さらに連結杭・上下連結杭等は単独で複数の用途の、支柱等に用いる事ができ利便性に優れている。
【発明を実施するための最良の形態】
【０００６】  以下、本発明の実施の形態について説明する。
（イ）フェンス（１）の両端部に大きさの違う、中空軸径の支柱（Ａ）と支柱（Ｂ）を配置し、それと支柱（Ａ）に杭打ち用支柱（２）を一体化した構成である。
（ロ）支柱（Ａ）には、フェンス（１）の厚みが差込める溝を設け、さらに支柱（Ｂ）が差込める中空軸とする。また支柱（Ｂ）も中空軸とし連結杭（３）等が差込める構造とする。
（ハ）支柱（Ａ）の下部に土圧・風圧等による転倒・崩壊等を防御する目的で、中空軸の杭打ち用支柱（２）を設けた。この中空軸に根元杭（５）を打ち込み固定する。
（ニ）フェンス（１）は樹脂系とし平板・波板・網代等による複数の屈曲可能な形状とする。また風圧等を避ける有効孔を設けても良い。その他の支柱（Ａ）（Ｂ）杭打ち用支柱（２）連結杭（３）上下連結杭（４）根元杭（５）等も樹脂系とする。
本発明は以上のような構成で、これを使用するときは、マルチフェンスの支柱（Ａ）の中空軸に支柱（Ｂ）を差込み連結し、杭打ち用支柱（２）に根元杭（５）を打ち込む、この作業を順次繰り返す。また隅部等で差込み困難の場合は、支柱（Ａ）・支柱（Ｂ）の中空軸に連結杭（３）で連結し組み立てる。それから連結杭（３）でマルチフェンスの片面を固定すると、支柱（Ａ）・（Ｂ）の中空軸が回転可能なので扉として使用できる。また上下連結杭（４）を用いて上部にも組み立てることができる。さらに土圧・風圧等の状況に応じて連結杭（３）を、フェンス（１）の中間に補強用としても使用できる構成とした。
【実施例１】
【０００７】  図（４）・（５）に示すように、フェンス（１）部分の材質を樹脂系としたことで曲面効果が得られ、苗床等の風除・防寒用などに応用できる構成としたので、円筒状のホットキャップによる栽培、またはトンネル栽培等の複数の使用方法ができるようになった。
【図面の簡単な説明】
【０００８】
【図１】  本発明の平面図及び断面図である。
【図２】  本発明の正面図である。
【図３】  本発明の分解図である。
【図４】  本発明のホットキャップの斜視図である。
【図５】  本発明のトンネル栽培の断面図である。
【符号の説明】
【０００９】      １  フェンス
２  杭打ち用支柱
３  連結杭
４  上下連結杭
５  根元杭
Ａ  支柱
Ｂ  支柱
【図１】
2005261411.tif 000003
【図２】
2005261411.tif 000004
【図３】
2005261411.tif 000005
【図４】
2005261411.tif 000006
【図５】
2005261411.tif 000007
(57)【要約】      （修正有）【課題】骨折部の接合部力を高める為に、スクリューの頭部支持にワッシャーを組合わせている。肉体内に残留している前記ワッシャーを係止して取り出すことができるワッシャー摘出器を提供する。【解決手段】弾性ワイヤー１の中央部を屈曲して、ワッシャーの透孔に挿通できる大きさの尖頭部２を成形し、該尖頭部２の基部側へ前記ワッシャーの透孔縁と係止する段部３をを設けると共に、前記ワイヤー１の両端１ａ、１ｂを柄杆４の先端側に埋設固定した構成による。【選択図】  図１
2005261469.tif 000002
【特許請求の範囲】
【請求項１】
弾性ワイヤーを屈曲してワッシャーの透孔に挿通できる大きさの尖頭部を成形し、該尖頭部の基部側へ前記ワッシャーの透孔縁との係止段部を形成し、前記ワイヤーの基部に柄杆を連結したことを特徴とするワッシャー摘出器。
【請求項２】
尖頭部は、先端部を２０度〜３５度にした三角状であって、基部に９０度前後の係止段部を設けたことを特徴とする請求項１記載のワッシャー摘出器。
【発明の詳細な説明】
【技術分野】
【０００１】
この発明は、骨折部を接合する際に使用するワッシャーを取り出す際に使用することを目的としたワッシャー摘出器に関する。
【背景技術】
【０００２】
従来整形外科手術の接合手術において、骨折部の接合力を高める為に、スクリューの頭部支持にワッシャーを組み合せている。この場合に、骨折部の癒合に伴って、金属を取り出すのであるが、スクリューを取り出すのは容易である。この際、軟部組織が介在する為にしばしばワッシャーが残り、摘出するのに苦労することが多く、時には皮膚を大きく切り開く必要があった。
【特許文献１】特開２００１−２５４７０
【発明の開示】
【発明が解決しようとする課題】
【０００３】
前記のように残留したワッシャーは、例えばピンセットなどで取り出そうとしても軟部組織に引っかかって取り出せないし、ピンセットではワッシャーに大きな引張力を加えることもできない。そこで、取り出せるほどに軟部組織を切り開かなければならない問題点があった。
【課題を解決するための手段】
【０００４】
この発明は、ワイヤーの弾力を利用して、ワッシャーの孔縁にワイヤーの段部を引っ掛けることにより、強い引張力でワイヤーを介してワッシャーを引張れることにより前記従来の問題点を解決したのである。
【０００５】
即ちこの発明は、弾性ワイヤーを屈曲してワッシャーの透孔に挿通できる大きさの尖頭部を成形し、該尖頭部の基部側へ前記ワッシャーの透孔縁と係止段部を形成し、前記ワイヤーの基部に柄杆を連結したことを特徴とするワッシャー摘出器であり、尖頭部は、先端部を２０度〜３５度にした三角状であって、基部に９０度前後の係止段部を設けたものである。
【０００６】
この発明の尖頭部は、弾力性のあるワイヤーで形成されている為に、挿入時には、図１中鎖線図示のように狭く変形し、ワッシャーの孔縁に引っ掛った際には、図２（ｅ）のように段部に係止されるので、引張り上げる際外れるおそれがなく、必要な牽引力を確保することができる。
【発明の効果】
【０００７】
この発明によれば、ワッシャーの透孔へ容易に挿入して、段部と係止させると、段部は変形しないので、強い牽引力を加えても、ワッシャーが外れることなく、軟部組織を押し開いてワッシャーを取り出せる効果がある。
【０００８】
この摘出器によれば、ワッシャー取り出しの為に、軟部組織の切開を要しない効果がある。
【発明を実施するための最良の形態】
【０００９】
この発明は、弾性ワイヤーを屈曲して、ワッシャーの透孔に挿通できる大きさの尖頭部を形成し、該尖頭部の基部に、ワッシャーの透孔縁と係止できる係止段部を形成し、前記ワイヤーの基端側へ柄部を連結して、この発明のワッシャー摘出器を構成した。
【００１０】
前記摘出器の尖頭部は、ワッシャーの透孔に挿通する際に小さく変形し、透孔縁に段部を係止してからは、係止段部が変形しないので、ワイヤーに強い引張力を付与することができる。
【実施例】
【００１１】
この発明の実施例を図１、２について説明すると、弾性ワイヤー１の中央部を屈曲して、尖頭部２を形成し、尖頭部２の基部側に段部３を設けると共に、弾性ワイヤー１の両端１ａ、１ｂを柄杆４の先端側へ埋設固定して、この発明のワッシャー摘出器５を構成した。
【００１２】
この発明のワッシャー摘出器５を使用する場所は、骨体６ａ、６ｂの骨折部６ｃに共通のスクリュー７を螺合し、スクリュー７の頭部７ａをワッシャー８で支持する（図２（ａ））。
【００１３】
前記のようにして骨折部６ｃが癒着したならば、軟部組織９を切り開いてスクリュー７を回転してこれを取り出す。
【００１４】
次に前記ワッシャー摘出器５の尖頭部２を前記軟部組織９の穴（スクリュー取り出し穴）に矢示１０のように挿入し（図２（ｃ））、段部３をワッシャー８の孔８ａに挿通する（図２（ｄ））。
【００１５】
ついで柄杆４を矢示１１の方向へ引張ってワッシャー８の孔縁と、段部３とを係止させ、若干引張ると、図２（ｅ）のように斜に支持される。そこで柄杆４を更に矢示１２の方向へ引張ると、ワッシャー８はワッシャー摘出器５に係止されたまま取り出される。
【００１６】
前記において、ワッシャー摘出器５は弾性ワイヤーがワッシャーから外れない限り、理想的情態で（斜になって）取り出すことができる。前記において、ワッシャー摘出器５の尖頭部２は、挿入時に若干変形し、ついでワイヤーを引張ると、ワイヤー１の段部３にワッシャーが引っかかり、しかも段部３は勿論、ワッシャー８の透孔８ａから外れるおそれはない。
【００１７】
従ってワイヤー１を引張ることによってワッシャーを容易迅速に取り出すことができる。
【図面の簡単な説明】
【００１８】
【図１】（ａ）この発明の実施例の正面図、（ｂ）同じく平面図、（ｃ）同じく左側面図、（ｄ）同じく右側面図。
【図２】同じく使用状態の説明図であって、（ａ）骨折部のスクリュー固定を示す説明図、（ｂ）同じくスクリューを脱抜した説明図、（ｃ）同じくワッシャー摘出器５の挿入開始時の説明図、（ｄ）同じくワイヤーの段部へワッシャーを係止させた説明図、（ｅ）同じく段部へワッシャーを係止したままワッシャーを取り出す状態の説明図。
【図３】（ａ）同じくスクリュー部分の平面図、（ｂ）同じくワッシャーの平面図。
【符号の説明】
【００１９】
１  ワイヤー
２  尖頭部
３  段部
４  柄杆
５  ワッシャー摘出器
６ａ、６ｂ  骨体
６ｃ  骨折部
７  スクリュー
８  ワッシャー
９  軟部組織
【図１】
2005261469.tif 000003
【図２】
2005261469.tif 000004
【図３】
2005261469.tif 000005